(57)【要約】【課題】監視対象領域の画像をテレビ信号に変換してテレビ受信システムの伝送線に送出することにより、監視対象領域をテレビ受信装置で監視できるようにしたセキュリティシステムにおいて、監視用のテレビ信号が受信アンテナから放射されるのを防止する。【解決手段】変調器１２において、テレビカメラ４から入力される監視対象領域の映像信号と音声信号とから、受信アンテナ８が受信するテレビ放送信号とは異なるチャンネルのテレビ信号を生成し、これを受信アンテナ８からのテレビ放送信号と混合して端末側へ伝送するセキュリティシステムにおいて、テレビ信号の混合手段として、入・出力端子が通常とは逆方向に接続された分岐器１６を用いる。この結果、変調器１２からのテレビ信号は、分岐器１６及び増幅器１４の逆結合損とにより充分減衰され、受信アンテナ８からテレビ信号が放射されて、監視画像が外部に漏出するのを防止できる。【選択図】図１
2007124512.tif 000002
【特許請求の範囲】
【請求項１】
テレビ放送電波を受信する受信アンテナと、該受信アンテナにて受信されたテレビ放送信号を建造物内のテレビ受信装置まで伝送する伝送線とを有するテレビ受信システムを利用して、前記建造物の状態を監視するためのセキュリティシステムであって、
前記建造物の所定の監視対象領域を撮像する撮像手段と、
該撮像手段にて撮像された画像から、前記テレビ受信システムにて伝送されるテレビ放送信号とは異なる放送チャンネルのテレビ信号を生成する変調手段と、
前記受信アンテナから前記テレビ受信装置に至る伝送線の途中に挿入され、前記変調手段にて生成されたテレビ信号を前記テレビ放送信号と混合して前記テレビ受信装置側に伝送させる混合手段と、
を備えると共に、
前記混合手段を、前記伝送線の受信アンテナ側に出力端子が接続され、前記伝送線のテレビ受信装置側に入力端子が接続され、前記変調手段のテレビ信号の出力端子に分岐端子が接続された分岐器にて構成し、
該分岐器と前記受信アンテナとの間の伝送線上に、前記受信アンテナからのテレビ受信信号を増幅する増幅器を設けたことを特徴とするセキュリティシステム。
【請求項２】
テレビ放送電波を受信する受信アンテナと、該受信アンテナにて受信されたテレビ放送信号を建造物内のテレビ受信装置まで伝送する伝送線とを有するテレビ受信システムを利用して、前記建造物の状態を監視するためのセキュリティシステムであって、
前記建造物の所定の監視対象領域を撮像する撮像手段と、
該撮像手段にて撮像された画像から、前記テレビ受信システムにて伝送されるテレビ放送信号とは異なる放送チャンネルのテレビ信号を生成する変調手段と、
前記受信アンテナから前記テレビ受信装置に至る伝送線の途中に挿入され、前記変調手段にて生成されたテレビ信号を前記テレビ放送信号と混合して前記テレビ受信装置側に伝送させる混合手段と、
を備えると共に、
前記混合手段を、前記伝送線の受信アンテナ側に第１の分配出力端子が接続され、前記伝送線のテレビ受信装置側に入力端子が接続され、前記変調手段のテレビ信号の出力端子に第２の分配出力端子が接続された分配器にて構成し、
該分配器と前記受信アンテナとの間の伝送線上に、前記受信アンテナからのテレビ受信信号を増幅する増幅器を設けたことを特徴とするセキュリティシステム。
【請求項３】
テレビ放送電波を受信する受信アンテナと、該受信アンテナにて受信されたテレビ放送信号を建造物内のテレビ受信装置まで伝送する伝送線とを有するテレビ受信システムを利用して、前記建造物の状態を監視するためのセキュリティシステムであって、
前記建造物の所定の監視対象領域を撮像する撮像手段と、
該撮像手段にて撮像された画像から、前記テレビ受信システムにて伝送されるテレビ放送信号とは異なる放送チャンネルのテレビ信号を生成する変調手段と、
前記受信アンテナから前記テレビ受信装置に至る伝送線の途中に挿入され、前記変調手段にて生成されたテレビ信号を前記テレビ放送信号と混合して前記テレビ受信装置側に伝送させる混合手段と、
を備え、前記混合手段は、前記変調手段のテレビ信号の出力端子と前記伝送線との接続部よりも前記受信アンテナ側の伝送線上に、前記受信アンテナにて受信されたテレビ放送信号を通過させ、前記変調手段にて生成されたテレビ信号の通過を阻止するバンドエリミネータを備えたことを特徴とするセキュリティシステム。
【請求項４】
前記混合手段は、前記変調手段のテレビ信号の出力端子と前記接続部との間に、前記受信アンテナにて受信されたテレビ放送信号の通過を阻止し、前記変調手段にて生成されたテレビ信号のみを選択的に通過させるバンドパスフィルタを備えたことを特徴とする請求項３に記載のセキュリティシステム。
【請求項５】
前記監視対象領域の音声を入力する音声入力手段を備え、前記変調手段は、前記撮像手段にて撮像された画像と、該音声入力手段を介して入力される音声とから、前記テレビ信号を生成することを特徴とする請求項１〜請求項４の何れかに記載のセキュリティシステム。
【請求項６】
前記監視対象領域の異常を検出する異常検出手段を備え、
前記変調手段は、該異常検出手段にて前記監視対象領域の異常が検出されたときに、前記撮像手段にて撮像された画像をテレビ信号に変調して出力することを特徴とする請求項１〜請求項５の何れかに記載のセキュリティシステム。
【発明の詳細な説明】
【技術分野】
【０００１】
本発明は、テレビ受信システムを利用して建造物の所定の監視対象領域を監視するのに好適なセキュリティシステムに関する。
【背景技術】
【０００２】
従来より、集合住宅等の建造物内にて異常が発生したときに、その建造物におけるテレビ受信システムにて伝送されていない放送チャンネル（空きチャンネル）を利用して、異常報知用のテレビ信号を生成し、その生成したテレビ信号をテレビ受信システムの伝送線に送出することで、建造物内のテレビ受像機等で異常を確認できるようにしたセキュリティが知られている（例えば、特許文献１等、参照）。
【特許文献１】特開平１０−９１８８０号公報
【発明の開示】
【発明が解決しようとする課題】
【０００３】
しかし、上記セキュリティシステムは、建造物内にて異常が生じたときに、その旨を報知するためのテレビ信号を生成して、テレビ受信システムの端末側に伝送するものであるため、端末側では、テレビ受像機等で、建造物内で異常があったことは知ることができるものの、異常があった箇所を画像で確認することはできなかった。
【０００４】
また、個人の住宅等では、異常が発生していない場合でも、玄関先や勝手口等の状況を画像で確認したい、という要求がある。
一方、このように異常が生じた箇所を画像で確認したり、玄関先や勝手口等、建造物の任意の箇所の状況を画像で確認するのに、既存のテレビ受信システムを利用できるようにするには、監視対象領域を撮像する撮像装置を設け、その撮像装置にて撮像された画像から空きチャンネルのテレビ信号を生成して、テレビ受信システムの伝送線上に送出するようにすればよい。
【０００５】
しかしながら、監視対象領域の画像をテレビ信号に変換して、テレビ受信システムの伝送線に送出するようにすると、そのテレビ信号が、テレビ受信システムの端末側（テレビ受信装置側）だけでなく、受信アンテナ側にも伝送されてしまうことがあった。
【０００６】
そして、このように受信アンテナ側に伝送されるテレビ信号の信号レベルが高いと、そのテレビ信号が受信アンテナから放射されてしまい、近所のテレビ受信装置でも監視対象領域の画像を確認できるようになってしまう。
【０００７】
本発明は、こうした問題に鑑みなされたものであり、監視対象領域の撮像画像をテレビ信号に変換してテレビ受信システムの伝送線に送出することにより、端末側のテレビ受信装置で監視対象領域の状況を確認できるようにしたセキュリティシステムにおいて、監視用のテレビ信号が受信アンテナから放射されてしまうのを確実に防止できるようにすることを目的とする。
【課題を解決するための手段】
【０００８】
かかる目的を達成するためになされた請求項１に記載の発明は、テレビ放送電波を受信する受信アンテナと、該受信アンテナにて受信されたテレビ放送信号を建造物内のテレビ受信装置まで伝送する伝送線とを有するテレビ受信システムを利用して、前記建造物の状態を監視するためのセキュリティシステムであって、前記建造物の所定の監視対象領域を撮像する撮像手段と、該撮像手段にて撮像された画像から、前記テレビ受信システムにて伝送されるテレビ放送信号とは異なる放送チャンネルのテレビ信号を生成する変調手段と、前記受信アンテナから前記テレビ受信装置に至る伝送線の途中に挿入され、前記変調手段にて生成されたテレビ信号を前記テレビ放送信号と混合して前記テレビ受信装置側に伝送させる混合手段とを備えると共に、前記混合手段を、前記伝送線の受信アンテナ側に出力端子が接続され、前記伝送線のテレビ受信装置側に入力端子が接続され、前記変調手段のテレビ信号の出力端子に分岐端子が接続された分岐器にて構成し、該分岐器と前記受信アンテナとの間の伝送線上に、前記受信アンテナからのテレビ受信信号を増幅する増幅器を設けたことを特徴とする。
【０００９】
次に、請求項２に記載の発明は、テレビ放送電波を受信する受信アンテナと、該受信アンテナにて受信されたテレビ放送信号を建造物内のテレビ受信装置まで伝送する伝送線とを有するテレビ受信システムを利用して、前記建造物の状態を監視するためのセキュリティシステムであって、前記建造物の所定の監視対象領域を撮像する撮像手段と、該撮像手段にて撮像された画像から、前記テレビ受信システムにて伝送されるテレビ放送信号とは異なる放送チャンネルのテレビ信号を生成する変調手段と、前記受信アンテナから前記テレビ受信装置に至る伝送線の途中に挿入され、前記変調手段にて生成されたテレビ信号を前記テレビ放送信号と混合して前記テレビ受信装置側に伝送させる混合手段とを備えると共に、前記混合手段を、前記伝送線の受信アンテナ側に第１の分配出力端子が接続され、前記伝送線のテレビ受信装置側に入力端子が接続され、前記変調手段のテレビ信号の出力端子に第２の分配出力端子が接続された分配器にて構成し、該分配器と前記受信アンテナとの間の伝送線上に、前記受信アンテナからのテレビ受信信号を増幅する増幅器を設けたことを特徴とする。
【００１０】
また、請求項３に記載の発明は、テレビ放送電波を受信する受信アンテナと、該受信アンテナにて受信されたテレビ放送信号を建造物内のテレビ受信装置まで伝送する伝送線とを有するテレビ受信システムを利用して、前記建造物の状態を監視するためのセキュリティシステムであって、前記建造物の所定の監視対象領域を撮像する撮像手段と、該撮像手段にて撮像された画像から、前記テレビ受信システムにて伝送されるテレビ放送信号とは異なる放送チャンネルのテレビ信号を生成する変調手段と、前記受信アンテナから前記テレビ受信装置に至る伝送線の途中に挿入され、前記変調手段にて生成されたテレビ信号を前記テレビ放送信号と混合して前記テレビ受信装置側に伝送させる混合手段とを備え、前記混合手段は、前記変調手段のテレビ信号の出力端子と前記伝送線との接続部よりも前記受信アンテナ側の伝送線上に、前記受信アンテナにて受信されたテレビ放送信号を通過させ、前記変調手段にて生成されたテレビ信号の通過を阻止するバンドエリミネータを備えたことを特徴とする。
【００１１】
また次に、請求項４に記載の発明は、請求項３に記載のセキュリティシステムにおいて、前記混合手段は、前記変調手段のテレビ信号の出力端子と前記接続部との間に、前記受信アンテナにて受信されたテレビ放送信号の通過を阻止し、前記変調手段にて生成されたテレビ信号のみを選択的に通過させるバンドパスフィルタを備えたことを特徴とする。
【００１２】
また、請求項５に記載の発明は、請求項１〜請求項４の何れかに記載のセキュリティシステムにおいて、前記監視対象領域の音声を入力する音声入力手段を備え、前記変調手段は、前記撮像手段にて撮像された画像と、該音声入力手段を介して入力される音声とから、前記テレビ信号を生成することを特徴とする。
【００１３】
また、請求項６に記載の発明は、請求項１〜請求項５の何れかに記載のセキュリティシステムにおいて、前記監視対象領域の異常を検出する異常検出手段を備え、前記変調手段は、該異常検出手段にて前記監視対象領域の異常が検出されたときに、前記撮像手段にて撮像された画像をテレビ信号に変調して出力することを特徴とする。
【発明の効果】
【００１４】
請求項１に記載のセキュリティシステムにおいては、変調手段にて生成されたテレビ信号をテレビ放送信号と混合してテレビ受信装置側に伝送させる混合手段が、分岐器にて構成されている。そして、この分岐器は、伝送線の受信アンテナ側に出力端子が接続され、伝送線のテレビ受信装置側に入力端子が接続され、変調手段のテレビ信号の出力端子に分岐端子が接続されており、しかも、分岐器の出力端子と受信アンテナとの間の伝送線上には、受信アンテナからのテレビ受信信号を増幅する増幅器が設けられている。
【００１５】
このため、変調手段から出力されたテレビ信号は、受信アンテナまで伝送されたとしても、分岐器の逆結合損（一般に２０ｄＢ以上）と、増幅器の逆結合（一般に増幅器を構成する増幅素子１段当たり１０ｄＢ〜２０ｄＢ）とにより、信号レベルが充分低減されることから、受信アンテナから、他の受信装置にて受信可能な強度で放射されることはない。
【００１６】
一方、受信アンテナからのテレビ放送信号は、増幅器にて増幅された後、分岐器を、その挿入損失（一般に１〜２ｄＢ）分だけ減衰して通過する。また、変調手段から出力されたテレビ信号は、分岐器の結合損（一般に１０ｄＢ程度）分だけ減衰されるものの、テレビ放送信号に混合されて端末側のテレビ受信装置へと伝送される。
【００１７】
従って、本発明のセキュリティシステムによれば、変調手段にて生成したテレビ信号を、テレビ受信システムの伝送線を介して、受信アンテナからのテレビ放送信号と共に端末側のテレビ受信装置に伝送することができるだけでなく、変調手段にて生成したテレビ信号が受信アンテナから放射されて、監視対象領域の画像が周囲の建造物等に設置されたテレビ受信装置にて不正に受信されるのを防止することができる。よって、本発明によれば、セキュリティシステムが構築された建造物の住人や訪問者等の画像が周囲に配信されて、プライバシーが侵害されるのを防止することができる。
【００１８】
次に、請求項２に記載のセキュリティシステムにおいては、変調手段にて生成されたテレビ信号をテレビ放送信号と混合してテレビ受信装置側に伝送させる混合手段が、分配器にて構成されている。そして、この分配器は、伝送線の受信アンテナ側に第１の分配出力端子が接続され、伝送線のテレビ受信装置側に入力端子が接続され、変調手段のテレビ信号の出力端子に第２の分配出力端子が接続されており、しかも、分配器の第１の分配出力端子と受信アンテナとの間の伝送線上には、受信アンテナからのテレビ受信信号を増幅する増幅器が設けられている。
【００１９】
このため、変調手段から出力されたテレビ信号は、受信アンテナまで伝送されたとしても、分配器の端子間結合損（一般に２０ｄＢ以上）と、増幅器の逆結合損（一般に増幅器を構成する増幅素子１段当たり１０ｄＢ〜２０ｄＢ）とにより、信号レベルが充分低減されることから、受信アンテナから、他の受信装置にて受信可能な強度で放射されることはない。
【００２０】
一方、受信アンテナからのテレビ放送信号は、増幅器にて増幅された後、分配器を、その分配損失（２分配器の場合、理論的には３ｄＢ）分だけ減衰して通過する。また、変調手段から出力されたテレビ信号は、分配器の分配損失分だけ減衰されるものの、テレビ放送信号に混合されて端末側のテレビ受信装置へと伝送される。
【００２１】
従って、本発明のセキュリティシステムにおいても、請求項１に記載のものと同様、変調手段にて生成したテレビ信号を、テレビ受信システムの伝送線を介して、受信アンテナからのテレビ放送信号と共に端末側のテレビ受信装置に伝送することができるだけでなく、変調手段にて生成したテレビ信号が受信アンテナから放射されて、監視対象領域の画像が周囲の建造物等に設置されたテレビ受信装置にて不正に受信されるのを防止することができる。よって、本発明によれば、セキュリティシステムが構築された建造物の住人や訪問者等の画像が周囲に配信されて、プライバシーが侵害されるのを防止することができる。
【００２２】
また次に、請求項３に記載のセキュリティシステムにおいては、変調手段にて生成されたテレビ信号をテレビ放送信号と混合してテレビ受信装置側に伝送させる混合手段に、バンドエリミネータが設けられている。そして、このバンドエリミネータは、変調手段のテレビ信号の出力端子と伝送線との接続部よりも受信アンテナ側の伝送線上で、受信アンテナにて受信されたテレビ放送信号を通過させ、変調手段にて生成されたテレビ信号の通過を阻止する。
【００２３】
このため、変調手段から出力されたテレビ信号は、バンドエリミネータにて減衰されて受信アンテナまで伝送されることから、バンドエリミネータの帯域内減衰量を充分大きくする（数十ｄＢ以上）ことにより、受信アンテナから、他の受信装置にて受信可能な強度でテレビ信号が放射されるのを防止することができる。
【００２４】
一方、受信アンテナからのテレビ放送信号は、バンドエリミネータを低損失で通過し、変調手段から出力されたテレビ信号と混合されて、端末側のテレビ受信装置へと伝送される。
【００２５】
従って、本発明のセキュリティシステムにおいても、請求項１、２に記載のものと同様、変調手段にて生成したテレビ信号を、テレビ受信システムの伝送線を介して、受信アンテナからのテレビ放送信号と共に端末側のテレビ受信装置に伝送することができるだけでなく、変調手段にて生成したテレビ信号が受信アンテナから放射されて、監視対象領域の画像が周囲の建造物等に設置されたテレビ受信装置にて不正に受信されるのを防止することができる。よって、本発明によれば、セキュリティシステムが構築された建造物の住人や訪問者等の画像が周囲に配信されて、プライバシーが侵害されるのを防止することができる。
【００２６】
なお、請求項３に記載のセキュリティシステムにおいて、変調手段のテレビ信号の出力端子と伝送線とを直接接続すると、バンドエリミネータを通過した信号が変調手段に入力されたり、変調手段から出力された不要信号成分がそのまま端末側に伝送されることから、変調手段のテレビ信号の出力端子と伝送線の接続部との間には、請求項４に記載のように、受信アンテナにて受信されたテレビ放送信号の通過を阻止し、変調手段にて生成されたテレビ信号のみを選択的に通過させるバンドパスフィルタを設けるようにしてもよい。
【００２７】
次に、請求項５に記載のセキュリティシステムにおいては、変調手段が、撮像手段にて撮像された画像と、音声入力手段を介して入力される監視対象領域の音声とからテレビ信号を生成する。このため、この請求項５に記載のセキュリティシステムによれば、テレビ受信システムの端末側のテレビ受信装置を介して、監視対象領域の画像と音声を確認することができるようになる。
【００２８】
また次に、請求項６に記載のセキュリティシステムにおいては、監視対象領域の異常を検出する異常検出手段が備えられており、変調手段は、この異常検出手段にて監視対象領域の異常が検出されたときに、撮像手段にて撮像された画像をテレビ信号に変調して出力する。
【００２９】
従って、このシステムによれば、例えば、テレビ受信システムの端末側に、変調手段にて生成されたテレビ信号が伝送されてきたか否かを検出する検出手段と、この検出手段にてテレビ受信信号が検出されると、このテレビ信号を受信・復調するようにテレビ受信装置を制御する制御手段とを設けるようにすれば、監視対象領域の異常時に、その領域の画像をテレビ受信装置に自動で出力させることができるようになる。
【発明を実施するための最良の形態】
【００３０】
以下に、本発明の実施形態を図面と共に説明する。
（第１実施形態）
図１は本発明が適用された第１実施形態のセキュリティシステム全体の構成を表すブロック図である。
【００３１】
本実施形態のセキュリティシステムは、受信アンテナ８にて受信されたテレビ放送信号を伝送線としての同軸ケーブル９を介して建造物２０内に設けられた録画装置２４やテレビ受像機２６まで伝送するテレビ受信システムを利用して、建造物２０の玄関先等、所定の監視領域を撮像した画像を配信するものである。
【００３２】
このため、図１に示すように、本実施形態のセキュリティシステムには、監視対象領域の画像を撮像するためのテレビカメラ４と、監視対象領域への第三者の不正侵入を検出する侵入センサ６と、変調ユニット１０とが備えられている。
【００３３】
テレビカメラ４は、監視対象領域の画像を撮像して映像信号を出力するものであるが、このテレビカメラ４には、監視対象領域の音声を取り込むためのマイクロフォン（以下単にマイクという）２も内蔵されている。そして、このマイク２からの音声信号は、映像信号と共に、変調ユニット１０に入力される。
【００３４】
また、侵入センサ６は、光を投受光するフォトカプラや、超音波センサ等を利用して、監視対象領域での人の通過を検出することにより、第三者の不正侵入を検出するためのものであり、侵入センサ６からの検出信号も変調ユニット１０に入力される。
【００３５】
変調ユニット１０は、テレビカメラ４から入力される映像信号と音声信号とを取り込み、チャンネルスイッチ６２（図２参照）にて設定される放送チャンネル（本実施形態ではＣＨ５５又はＣＨ５９、ＣＨ：チャンネルを表す）のテレビ信号を生成するための変調器１２と、受信アンテナ８にて受信されたテレビ放送信号を増幅する増幅器１４と、この増幅器１４にて増幅されたテレビ放送信号と変調器１２にて生成されたテレビ信号とを混合して、端末側に伝送するための分岐器１６とを、図２に示す防水ケース５０内に一体的に収納することにより構成されている。
【００３６】
ここで、変調器１２は、侵入センサ６から監視対象領域の異常（具体的には不正侵入）を表す検出信号が入力されたときに起動し、その後、使用者により異常検知状態が解除されるまで、監視対象領域の画像及び音声からなるテレビ信号を生成するように構成されている。
【００３７】
そして、この変調器１２にて生成されるテレビ信号の放送チャンネル（本実施形態ではＣＨ５５又はＣＨ５９）は、受信アンテナ８にて受信されるテレビ放送信号の放送チャンネルとは異なるチャンネル（換言すればテレビ受信システムにおける空きチャンネル）に設定されている。
【００３８】
また、増幅器１４は、後述の利得調整用ボリューム６４を回動操作することにより利得を調整可能な利得調整回路を内蔵しており、その利得調整用ボリューム６４にて設定された利得でテレビ放送信号を増幅する。
【００３９】
また、分岐器１６は、テレビ受信システムで利用される一般的な分岐器（換言すれば方向性結合器）であるが、本実施形態では、増幅器１４の出力端子（延いては受信アンテナ８）側の同軸ケーブル９に出力端子（ＯＵＴ）を接続し、録画装置２４やテレビ受像機２６等のテレビ受信装置が接続される端末側の同軸ケーブル９に入力端子（ＩＮ）を接続し、分岐端子（Ｂｒ）を変調器１２のテレビ信号の出力端子に接続することにより、テレビ信号が受信アンテナ８まで伝送されて、受信アンテナ８から放射されるのを防止している。
【００４０】
つまり、本実施形態では、変調器１２から出力されたテレビ信号は、分岐器の逆結合損（一般に２０ｄＢ以上であり、本実施形態では約３０ｄＢ）と、増幅器１４の逆結合（一般に増幅器を構成する増幅素子１段当たり１０ｄＢ〜２０ｄＢであり、本実施形態では、増幅素子が３素子であるため、約５０ｄＢ）とにより、約８０ｄＢ以上減衰されて受信アンテナ８まで伝送される。
【００４１】
このため、変調器１２からのテレビ信号が、受信アンテナ８から放射されることはなく、たとえ放射されたとしても、他の受信装置にて受信・復調することはできない。
一方、受信アンテナ８からのテレビ放送信号は、増幅器１４にて増幅された後、分岐器１６を、その挿入損失分（１〜２ｄＢ）だけ減衰して通過する。また、変調器１２から出力されたテレビ信号は、分岐器１６の結合損（約１０ｄＢ程度）分だけ減衰されてテレビ放送信号と混合され、端末側の同軸ケーブル９へと送出される。
【００４２】
なお、変調ユニット１０を収納する防水ケース５０には、図２に示すように、受信アンテナ８からのテレビ放送信号を同軸ケーブル９を介して入力するための入力端子５２、テレビ放送信号を同軸ケーブル９を介して端末側に出力するための出力端子５４、テレビカメラ４からの映像信号と音声信号とをそれぞれ入力するための映像入力端子５６、音声入力端子５８、及び、侵入センサ６からの検出信号を入力するためのセンサ入力端子６０が固定されている。
【００４３】
そして、防水ケース５０は、このケースの蓋体を外すと、上述した変調器１２、増幅器１４、及び分岐器１６を構成する電子部品が組み付けられた回路基板を保護する保護板６６が露出し、この保護板６６に穿設された孔から、チャンネルスイッチ６２と利得調整用ボリューム６４を操作できるようにされている。また、この保護板６６には、チャンネルスイッチ６２及び利得調整用ボリューム６４の操作説明や、上述した各端子の説明が印刷されている。
【００４４】
次に、図１に示すように、変調ユニット１０から出力されるテレビ放送信号は、建造物２０内に設けられた分配器２２にて２分配され、その分配された一方のテレビ放送信号は、録画装置２４及びテレビ受像機２６に順に伝送され、他方のテレビ放送信号は、セキュリティシステム専用の受信装置３０に入力される。
【００４５】
そして、この受信装置３０には、変調器１２にて生成される特定放送チャンネル（本実施形態ではＣＨ５５又はＣＨ５９）のテレビ信号を受信して映像及び音声信号を復調する受信復調回路３２と、この受信復調回路３２にて復調された映像・音声信号を検出する信号検出回路３４と、この信号検出回路３４にて映像・音声信号が検出されると、遠隔操作用のリモコン装置２８を介して、録画装置２４及びテレビ受像機２６を制御するか、或いは、予め設定された警報動作を実行する制御回路３６と、が備えられている。
【００４６】
また、受信装置３０には、異常を音及び光にてそれぞれ報知するための警報音発生装置３８及び警報ランプ３９や、異常を公衆電話回線４２を介して使用者の携帯電話４４に通知するための電話回線用端末４０も設けられている。
【００４７】
そして、制御回路３６は、信号検出回路にて映像・音声信号が検出されると、使用者により予め設定された動作モードに従い、録画装置２４又はテレビ受像機２６に対して、変調器１２にて生成された特定放送チャンネル（本実施形態ではＣＨ５５又はＣＨ５９）のテレビ信号を受信して録画又は表示させるか、警報音発生装置３８及び警報ランプ３９から警報用の音及び光を発生させるか、或いは、電話回線用端末４０を介して使用者の携帯電話４４を呼び出し、受信復調回路３２にて復調された映像及び音声を携帯電話４４に送信する。
【００４８】
このため、侵入センサ６にて監視対象領域の異常（本実施形態では不正侵入）が検出され、変調器１２にて、監視対象領域を撮像した画像及びその音声がテレビ信号に変換されると、そのときの画像及び音声を録画装置２４に録画させたり、テレビ受像機２６に表示したり、異常を音と光で周囲に報知したり、或いは、使用者の携帯電話４４に異常を通知したりすることができ、使用者は、監視対象領域の異常を速やかに検知して、そのときの状態を映像と音声とで確認することができるようになる。
【００４９】
以上説明したように、本実施形態のセキュリティシステムでは、監視対象領域に異常（不正侵入）が生じた際に、変調手段としての変調器１２により、その領域の映像及び音声信号から、テレビ受信システムにて伝送されていない空きチャンネルのテレビ信号を生成し、このテレビ信号を、テレビ受信システムの受信アンテナ８からのテレビ放送信号と混合するようにされている。
【００５０】
そして、本実施形態では、監視対象領域の映像及び音声信号から生成したテレビ信号を受信アンテナ８からのテレビ放送信号と混合するための混合手段として、入出力端子が通常とは逆方向となるように同軸ケーブル９に挿入された分岐器１６を使用している。
【００５１】
このため、本実施形態のセキュリティシステムによれば、変調器１２から出力されたテレビ信号が増幅器１４を介して受信アンテナ８まで伝送されて、受信アンテナ８から、他の受信装置にて受信・復調可能な信号レベルで放射されるのを確実に防止することができる。
【００５２】
よって、本実施形態のセキュリティシステムによれば、監視対象領域の画像が周囲の建造物等に設置されたテレビ受像装置にて受信されて、当該セキュリティシステムが構築された建造物２０の住人や訪問者等のプライバシーが侵害されるのを防止することができる。
【００５３】
なお、本実施形態においては、変調器１２にて生成されたテレビ信号を受信アンテナ８からのテレビ放送信号と混合してテレビ受信システムの端末側に伝送させる混合手段として、分岐器１６を用いるものとして説明したが、図３（ａ）に示すように、分岐器１６の代わりに、２分配用の分配器１８を使用するようにしてもよい。
【００５４】
ただし、この場合には、分配器１８の一方の分配出力端子（ＯＵＴ１）を増幅器１４の出力端子（延いては受信アンテナ８）側の同軸ケーブル９に接続し、分配器１８の入力端子（ＩＮ）を端末側の同軸ケーブル９に接続し、他方の分配出力端子（ＯＵＴ２）を、変調器１２のテレビ信号の出力端子に接続する。
【００５５】
そして、このようにすれば、変調器１２から出力されたテレビ信号は、分配器１８の端子間結合損（一般に２０ｄＢ）と、上述した増幅器１４の逆結合損とにより、約８０ｄＢ以上減衰されて受信アンテナ８まで伝送されることから、上記実施形態と同様、変調器１２からのテレビ信号が、受信アンテナ８から放射されることはなく、たとえ放射されたとしても、他の受信装置にて受信・復調することはできない。
【００５６】
また、変調器１２から出力されたテレビ信号と増幅器１４から出力されるテレビ放送信号とは、それぞれ、分配器１８の分配損失（理論的には３ｄＢ）分だけ減衰されるが、これら各信号は、互いに混合されて、端末側のテレビ受信装置へと伝送されることから、端末側では、これら各信号を選択的に受信・復調することができるようになる。
【００５７】
一方、本実施形態では、変調ユニット１０内の変調器１２や増幅器１４への電源供給については特に説明しなかったが、変調ユニット１０には、商用電源から電源電圧（一般に交流１００Ｖ）を取り込み、これを降圧・整流して、内部回路駆動用の直流定電圧を生成する電源装置を内蔵するようにしてもよく、或いは、図３（ｂ）に示すように、変調ユニット１０には、端末側から同軸ケーブルを介して直流又は交流の電源電圧を供給するようにし、変調ユニット１０内に、その電源電圧を分離する電源分離フィルタ７０と、電源分離フィルタ７０にて分離された直流又は交流の電源電圧から内部回路駆動用の直流定電圧を生成する定電圧回路７２とを設けるようにしてもよい。
【００５８】
またこのように、電源分離フィルタ７０と定電圧回路７２とを変調ユニット１０に設けた場合、定電圧回路７２にて生成した直流定電圧を、テレビカメラ４や侵入センサ６を駆動するための電源電圧として出力するための電源出力端子を設けるようにしてもよい。
【００５９】
また次に、上記実施形態では、増幅器１４は、変調ユニット１０内に組み込むものとして説明したが、セキュリティシステムを構築する前のテレビ受信システムにおいて、受信アンテナ８直下に増幅器が所謂ブースタとして設けられているような場合には、変調ユニット１０内に別途増幅器１４を設ける必要はなく、図３（ｃ）に示すように、増幅器１４に代えて、定電圧回路７２にて生成された直流定電圧を、高周波信号遮断用のコイル７６を介して、受信アンテナ８側に出力するようにしてもよい。なお、この場合、受信アンテナ８側の伝送線とコイル７６との接続点の下流（つまりその接続点と分岐器１６若しくは分配器１８との間）には、直流遮断用のコンデンサ７４を設ける必要はある。
（第２実施形態）
図４は本発明が適用された第２実施形態のセキュリティシステム全体の構成を表すブロック図である。
【００６０】
本実施形態のセキュリティシステムは、第１実施形態と同様のテレビカメラ４と、変調ユニット８０とを備え、テレビカメラ４から出力される監視対象領域の映像信号と音声信号とから生成した特定放送チャンネルのテレビ信号を、常時端末側に伝送するようにしたものである。
【００６１】
そして、本実施形態の変調ユニット８０には、テレビカメラ４から入力される映像信号と音声信号とを取り込み、チャンネルスイッチ６２（図５参照）にて設定される放送チャンネル（ＣＨ５５又はＣＨ５９）のテレビ信号を生成する変調器１２と、この変調器１２のテレビ信号の出力端子に接続され、受信アンテナにて受信されたテレビ放送信号の通過を阻止し、変調器１２にて生成されたテレビ信号を選択的に通過させるバンドパスフィルタ（以下単にＢＰＦと記載する）８４と、受信アンテナ８からのテレビ放送信号の入力経路に設けられ、そのテレビ放送信号を通過させ、変調器１２にて生成されたテレビ信号の通過を阻止するバンドエリミネータ（以下単にＢＥＦと記載する）８２とが備えられており、ＢＰＦ８４の変調器１２とは反対側を、ＢＥＦ８２の受信アンテナ８とは反対側と接続することにより、その接続部にて、ＢＰＦ８４を通過したテレビ信号とＢＥＦ８２を通過したテレビ放送信号とを混合するようにようにされている。
【００６２】
また、この変調ユニット８０には、これら各信号の混合信号であるテレビ放送信号を３分配する分配器８６が設けられており、この分配器８６にて分配されたテレビ信号を、それぞれ、同軸ケーブル９を介して建造物２０内の各部屋に設けられたテレビ受像機２６へと伝送するようにされている。
【００６３】
また、分配器８６の３つの分配出力のうちの一つには、端末側に設置された電源装置４８から同軸ケーブル９を介して入力される電源電圧を分離する電源分離フィルタ７０が接続されており、この電源分離フィルタ７０にて分離された電源電圧は、定電圧回路７２に入力される。そして、この定電圧回路７２では、内部回路駆動用の直流定電圧が生成され、この生成された直流定電圧は、変調ユニット８０の内部回路である変調器１２に供給されると共に、テレビカメラ４にも供給される。
【００６４】
また、定電圧回路７２は、電源出力切換スイッチ７８、及び、高周波信号遮断用のコイル７６を介して、受信アンテナ８側の同軸ケーブル９にも接続されている。これは、受信アンテナ８側の同軸ケーブル９上に増幅器１４が所謂ブースタとして設置されている場合に、電源出力切換スイッチ７８をＯＮすることで、この増幅器１４に、定電圧回路７２にて生成した直流電圧を電源電圧として供給できるようにするためである。
【００６５】
なお、本実施形態の変調ユニット８０を収納する防水ケース９０には、図５に示すように、受信アンテナ８からのテレビ放送信号を同軸ケーブル９を介して入力するための入力端子５２と、テレビ放送信号を同軸ケーブル９を介して端末側に出力するための３つの出力端子５４ａ、５４ｂ、５４ｃと、テレビカメラ４からの映像信号及び音声信号をそれぞれ入力するための映像入力端子５６及び音声入力端子５８と、テレビカメラ４に電源供給を行うための電源出力端子６１とが固定されている。
【００６６】
そして、防水ケース９０は、このケースの蓋体を外すと、上述した変調器１２、電源分離フィルタ７０、定電圧回路７２、ＢＥＦ８２、ＢＰＦ８４等を構成する電子部品が組み付けられた回路基板を保護する保護板６７が露出し、この保護板６７に穿設された孔から、チャンネルスイッチ６２と電源出力切換スイッチ７８を操作できるようにされている。また、この保護板６７には、チャンネルスイッチ６２及び電源出力切換スイッチ７８の操作説明や、上述した各端子の説明が印刷されている。
【００６７】
以上説明したように、本実施形態のセキュリティシステムでは、変調手段としての変調器１２により、監視対象領域を撮像するテレビカメラ４からの映像信号及び音声信号から、テレビ受信システムにて伝送されていない空きチャンネルのテレビ信号を生成し、このテレビ信号を、テレビ受信システムの受信アンテナ８からのテレビ放送信号と混合するようにされている。
【００６８】
そして、本実施形態では、その混合のための混合手段として、ＢＥＦ８２とＢＰＦ８４とを備え、ＢＥＦ８２により、変調器１２から出力されたテレビ信号が受信アンテナ８側に伝送されるのを阻止するようにされている。
【００６９】
よって、本実施形態のセキュリティシステムにおいても、上記第１実施形態と同様、監視対象領域の画像が周囲の建造物等に設置されたテレビ受像装置にて受信されて、当該セキュリティシステムが構築された建造物２０の住人や訪問者等のプライバシーが侵害されるのを防止することができる。
【００７０】
また、変調器１２にて生成されたテレビ信号は、ＢＰＦ８４を介して端末側に伝送されることから、変調器１２から出力されるテレビ信号以外のノイズ信号が端末側に伝送されるのを防止することができると共に、受信アンテナ８から入力されたテレビ放送信号を含む各種信号が変調器１２に入力されて変調器１２の動作が不安定になるのを防止することもできる。
【００７１】
なお、本実施形態では、ＢＰＦ８４とＢＥＦ８２とで変調器１２にて生成されたテレビ信号を通過させたり、阻止したりすることから、ＢＰＦ８４の通過帯域幅とＢＥＦ８２の通過阻止帯域幅は、テレビ信号１ＣＨ分の帯域幅に設定しておき、チャンネルスイッチ６２を介して変調器１２が生成するテレビ信号の放送チャンネルを設定した際に、その放送チャンネルの周波数に応じて、ＢＰＦ８４及びＢＥＦ８２の中心周波数も自動調整されるようにすることが望ましい。
【００７２】
ただし、ＢＰＦ８４の通過帯域幅とＢＥＦ８２の通過阻止帯域幅を、変調器１２にて生成可能な放送チャンネルの全てのテレビ信号を通過又は阻止し得る帯域幅に設定できる場合（つまり、この帯域幅に受信アンテナ８にて受信されるテレビ放送信号が入らない場合）には、ＢＰＦ８４の通過帯域幅とＢＥＦ８２の通過阻止帯域幅を、その帯域幅に固定してもよい。
【００７３】
また次に、本実施形態では、変調ユニット８０の定電圧回路７２にて生成した直流定電圧は、電源出力端子６１から外部装置（つまりテレビカメラ４）に供給するものとして説明したが、テレビカメラ４に電源供給を行う必要がない場合には、何も接続されていない電源出力端子６１に直流定電圧が印加されることになるので、図６（ａ）又は図６（ｂ）に示すように、定電圧回路７２から電源出力端子６１に至る直流定電圧の出力経路には、その経路の導通・遮断状態を切り換えるための電源出力切換スイッチ８８を設けるようにしてもよい。
【００７４】
また、上述したＢＰＦ８４は必ずしも設ける必要はなく、例えば、変調器１２のテレビ信号の出力端子と、ＢＥＦ８２よりも端末側の伝送線とを、図３（ａ）に示した分配器１８、若しくは、図１に示した分岐器１６を介して接続するようにしてもよい。
【００７５】
なお、図６（ａ）、図６（ｂ）に示した変調ユニット８０には、分配器８６は設けられていないが、こうしたテレビ放送信号分配用の分配器は、必要に応じて適宜設けるようにすればよく、第１実施形態の変調ユニット１０に分配器を設けるようにしてもよい。
（第３実施形態）
図７は本発明が適用された第３実施形態のセキュリティシステムの構成を表すブロック図である。
【００７６】
本実施形態のセキュリティシステムは、第１実施形態の変調ユニット１０（詳しくは、端末側から電源供給を受けて動作する図３（ｂ）に示した変調ユニット）と、第２実施形態の変調ユニット８０とを使って、２つのテレビカメラ４からの映像信号から生成した２チャンネル（ＣＨ５５とＣＨ５９）のテレビ信号を、端末側の複数のテレビ受像機２６にそれぞれ伝送するように構成したものである。
【００７７】
そして、このように構成されたセキュリティシステムによれば、端末側の複数のテレビ受像機２６を使って、建造物の玄関と勝手口、というように所望の２カ所を適宜監視することができるようになる。
【００７８】
ただし、本実施形態では、２カ所の監視対象領域をテレビ受信システムの端末側で監視できるようにするために、２つの変調ユニット１０、８０を利用するものとして説明したが、図８（ａ）、（ｂ）に示す変調ユニット９２、９４のように、変調ユニット内に、２つのテレビカメラから入力される映像及び音声信号によりそれぞれ異なる放送チャンネルのテレビ信号を生成する２つの変調器１２を内蔵し、これら各変調器１２にて生成されたテレビ信号を、受信アンテナ８から入力されたテレビ放送信号と混合して、端末側に送出するようにしてもよい。
【００７９】
なお、図８（ａ）に示した変調ユニット９２は、図３（ｂ）に示した第１実施形態の変調ユニット１０と同様、増幅器１４と、電源分離フィルタ７０と定電圧回路７２とを内蔵し、混合手段として分岐器１６を利用するようにしたものである。
【００８０】
また、図８（ｂ）に示した変調ユニット９４は、図４に示した第２実施形態の変調ユニット８０と同様、電源分離フィルタ７０と定電圧回路７２と電源出力切換スイッチ７８とを内蔵し、混合手段としてＢＰＦ８４とＢＥＦ８２を利用するようにしたものである。
【００８１】
そして、これらのいずれの変調ユニット９２、９４においても、各変調器１２にて生成されたテレビ信号は、分岐器１６と増幅器１４の逆結合損、若しくは、ＢＥＦ８２によるテレビ信号の通過損失により、受信アンテナ８側に伝送されて受信アンテナ８から放射されるのを防止することができる。
【図面の簡単な説明】
【００８２】
【図１】第１実施形態のセキュリティシステムの全体構成を表すブロック図である。
【図２】第１実施形態の変調ユニットの構成を表す説明図である。
【図３】第１実施形態の変調ユニットの変形例を表すブロック図である。
【図４】第２実施形態のセキュリティシステムの全体構成を表すブロック図である。
【図５】第２実施形態の変調ユニットの構成を表す説明図である。
【図６】第２実施形態の変調ユニットの変形例を表すブロック図である。
【図７】第３実施形態のセキュリティシステムの全体構成を表すブロック図である。
【図８】第３実施形態の変調ユニットの変形例を表すブロック図である。
【符号の説明】
【００８３】
２…マイク、４…テレビカメラ、６…侵入センサ、８…受信アンテナ、９…同軸ケーブル、１０，８０，９２，９４…変調ユニット、１２…変調器、１４…増幅器、１６…分岐器、１８，２２，８６…分配器、２０…建造物、２４…録画装置、２６…テレビ受像機、２８…リモコン装置、３０…受信装置、３２…受信復調回路、３４…信号検出回路、３６…制御回路、３８…警報音発生装置３９…警報ランプ、４０…電話回線用端末、４２…公衆電話回線、４４…携帯電話、４８…電源装置、５０，９０…防水ケース、５２…入力端子、５４，５４ａ，５４ｂ，５４ｃ…出力端子、５６…映像入力端子、５８…音声入力端子、６０…センサ入力端子、６１…電源出力端子、６２…チャンネルスイッチ、６４…利得調整用ボリューム、６６，６７…保護板、７０…電源分離フィルタ、７２…定電圧回路、７４…コンデンサ、７６…コイル、８２…ＢＥＦ、８４…ＢＰＦ、７８，８８…電源出力切換スイッチ。
【図１】
2007124512.tif 000003
【図２】
2007124512.tif 000004
【図３】
2007124512.tif 000005
【図４】
2007124512.tif 000006
【図５】
2007124512.tif 000007
【図６】
2007124512.tif 000008
【図７】
2007124512.tif 000009
【図８】
2007124512.tif 000010